(57)【要約】【課題】浴室のバスタブ内の湯水の揺らぎに連動して音響特性を変化させることにより、入浴中の入浴者に深いリラックス感が得られる浴室音響装置を提供する。【解決手段】浴室内に音楽等を再生する音響再生手段と、浴室内に設けられバスタブ内の湯水の揺らぎを検知する検知手段と、該検知手段による検知信号に基づいて音響再生装置の音響特性を制御する制御手段と、を備えることを特徴とする。検知手段は、浴室の側壁もしくは天井壁に設けられた光センサで形成されて湯水の揺らぎによる反射光もしくは透過光の変化を検知したり、バスタブに設けられた圧力センサもしくは水位センサで形成され、湯水の揺らぎによる圧力の変化もしくは水位の変化を検知する。また、制御手段は、検知手段で検知された検知信号のうち直流分をカットする直流カット機能や音響特性を調整可能なリモコンを備える。【選択図】　図１
2004105569.tif 000002
【特許請求の範囲】
【請求項１】
浴室内に音楽等を再生する音響再生手段と、前記浴室内に設けられバスタブ内の湯水の揺らぎを検知する検知手段と、該検知手段による検知信号に基づいて前記音響再生装置の音響特性を制御する制御手段と、を備えることを特徴とする浴室音響装置。
【請求項２】
前記検知手段は、浴室の側壁もしくは天井壁に設けられた光センサで形成され、該光センサによって、バスタブ内の湯水に照射されて浴室内に反射される反射光もしくはバスタブ内の湯水を透過して浴室内に放射される透過光が検知されることを特徴とする請求項１に記載の浴室音響装置。
【請求項３】
前記検知手段は、バスタブに設けられた圧力センサもしくは水位センサで形成され、該圧力センサもしくは水位センサによって、バスタブ内の湯水の揺らぎによる圧力の変化もしくは水位の変化が検知されることを特徴とする請求項１に記載の浴室音響装置。
【請求項４】
前記制御手段は、検知手段で検知された検知信号のうち直流分をカットする直流カット機能を有することを特徴とする請求項１ないし３のいずれかに記載の浴室音響装置。
【請求項５】
前記制御手段は、音響特性を調整可能なリモコンを有し、該リモコンの操作によって前記音響特性が調整されることを特徴とする請求項１ないし４のいずれかに記載の浴室音響装置。
【発明の詳細な説明】
【０００１】
【発明の属する技術分野】
本発明は、例えばユニットバスルーム等の浴室の音響装置に係わり、特に、バスタブ内の湯水のゆらぎに連動して音響再生装置の音響特性が変化する浴室音響装置に関する。
【０００２】
【従来の技術】
従来、浴室においては、特許文献１に示すように、側壁上部や天井壁に設けられたスピーカや浴室外に配置されたアンプ等からなる音響再生装置によって、浴室内に音楽等を再生し、入浴中に音楽等を楽しむことができるようになっている。また、近年、この音響再生装置の他に、例えば浴室の天井壁にスポットライト照明装置を配置すると共に、そのスポットライトをバスタブ内の湯水に照射して反射させ、この反射光により浴室内に光による幻想的な雰囲気を醸し出す光演出装置を備えた浴室も提案されている（特願２００１−３６３８６２号参照）。
【０００３】
【特許文献１】
特開２００２−８４５８８号公報
【０００４】
【発明が解決しようとする課題】
しかしながら、このような浴室においては、音響再生装置による音楽等の音響の再生と、光演出装置による光の演出が独立して行われるため、音響は音響として変化し光は光として変化する。そのため、例えば光による演出効果と音響効果とを連動させて変化させることができず、特に音響効果が単調になり易い等といった問題点を有している。
【０００５】
本発明は、このような事情に鑑みてなされたもので、その目的は、浴室のバスタブ内の湯水の揺らぎに連動して音響特性を変化させることにより、入浴中の入浴者に深いリラックス感が得られる浴室音響装置を提供することにある。
【０００６】
【課題を解決するための手段】
かかる目的を達成すべく、本発明のうち請求項１に記載の発明は、浴室内に音楽等を再生する音響再生手段と、前記浴室内に設けられバスタブ内の湯水の揺らぎを検知する検知手段と、該検知手段による検知信号に基づいて前記音響再生装置の音響特性を制御する制御手段と、を備えることを特徴とする。
【０００７】
このように構成することにより、音響再生手段で再生される音楽等の音響は、その音響特性としての例えば音量がバスタブ内の湯水の揺らぎに連動して制御手段によって制御（増減）される。この時、バスタブ内の湯水の揺らぎが検知手段によって検知され、その検知信号に基づいて制御手段で音響特性が制御されることから、例えば入浴者が湯水を波立たせることで浴室内の音響特性が自動的に変化し、入浴中の入浴者に深いリラックス感等が得られる。
【０００８】
そして、前記検知手段は、請求項２に記載の発明のように、浴室の側壁もしくは天井壁に設けられた光センサで形成され、該光センサによって、バスタブ内の湯水に照射されて浴室内に反射される反射光もしくはバスタブ内の湯水を透過して浴室内に放射される透過光が検知されることが好ましい。このように構成することにより、検知手段として光センサが使用されることから、この光センサを浴室の側壁や天井壁に配置することで、バスタブ内の湯水による反射光や透過光を検知できて、光による演出効果と連動した状態で浴室内の音響特性が変化する。
【０００９】
また、前記検知手段は、請求項３に記載の発明のように、バスタブに設けられた圧力センサもしくは水位センサで形成され、該圧力センサもしくは水位センサによって、バスタブ内の湯水の揺らぎによる圧力の変化もしくは水位の変化が検知されることが好ましい。このように構成することにより、検知手段として圧力センサや水位センサが使用されることから、これらのセンサをバスタブの所定位置に配置することでバスタブ内の湯水の揺らぎを検知できて、この検知信号に基づいて浴室内の音響特性が所望に変化する。
【００１０】
また、前記制御手段は、請求項４に記載の発明のように、検知手段で検知された検知信号のうち直流分をカットする直流カット機能を有することが好ましい。このように構成することにより、制御手段の直流カット機能で検知信号の直流成分がカットされることから、例えば光センサ使用時の受光部の汚れによる音量変化や、圧力、水位センサ使用時の揺らぎによる水位以外の湯量の変化等による音量の変化が防止される。
【００１１】
また、前記制御手段は、請求項５に記載の発明のように、音響特性を調整可能なリモコンを有し、該リモコンの操作によって前記音響特性が調整されることが好ましい。このように構成することにより、リモコンの操作で例えば音量等の音響特性を調整できることから、入浴中に入浴者のリモコン操作で音響特性が好みの特性に容易に調整される。
【００１２】
【発明の実施の形態】
以下、本発明の実施の形態を図面に基づいて詳細に説明する。
図１〜図３は、本発明に係わる浴室音響装置の一実施形態を示し、図１がその概略構成図、図２がその制御手段の回路図、図３が動作説明図である。
【００１３】
図１において、システムバスユニット等の浴室１は、防水パン等からなる床壁２と、４枚の側壁３ａ〜３ｄ（側壁３ｄは図示せず）及び天井壁４によって箱状に形成され、前記防水パン上にはバスタブ５が配置されると共に、図示しない洗い場が設けられている。また、浴室１には、音響再生装置６とスポットライト照明装置７が設けられている。
【００１４】
前記音響再生装置６は、例えば浴室１の天井壁４の外側（あるいは適宜の側壁３ａ〜３ｄ外側）に取り付けられた制御手段としてのコントロールユニット８と、このコントロールユニット８の出力側に接続されたスピーカ９と、コントロールユニット８の入力側に接続されたリモコン１０と、コントロールユニット８の入力側に浴室側壁外面の入力ボックス１１を介して接続されたＣＤプレーヤ、カセットデッキ、チューナ等のオーディオ機器１２等を有している。
【００１５】
また、前記スポットライト照明装置７は、天井壁４の例えば側壁３ａ側の端部（もしくは側壁３ａの上部）に取り付けられ、光源としての図示しないハロゲンランプからの光（スポットライトＲ１という）がバスタブ５内の湯水Ｗに照射されて、その反射光Ｒ２が側壁３ａ〜３ｄや天井壁４に写し出されるように配置されている。そして、浴室１の例えば側壁３ｃ上部と天井壁４には、スポットライト照明装置７によるスポットライトＲ１の反射光Ｒ２を検知する光センサ１３が各壁３ｃ、４に埋設状態で取り付けられている。
【００１６】
この光センサ１３は、光起電力効果や光導電効果等の物理的現象によって、スポットライト照明装置７による前記反射光Ｒ２を検知するようになっている。そして、この光センサ１３で検知された検知信号が前記コントロールユニット８に入力され、該コントロールユニット８内で後述する如く信号処理されて音響再生装置６で再生される音楽等の音量が調整されることになる。
【００１７】
なお、この光センサ１３は、反射光Ｒ２の検知精度を高めるために、反射光Ｒ２が最も強く反射される側壁３ｃまたは天井壁４、あるいは必要に応じて側壁３ｃと天井壁４の双方の所定位置に配置されることが好ましい。また、スポットライト照明装置７は、図１の二点鎖線で示すように、天井壁４の側壁３ｃ側にも設けることで、複数個のスポットライトＲ１でバスタブ５内の湯水Ｗの全域を照射するように構成することもできるし、光源としてはハロゲンランプに限らず蛍光灯等の適宜の光源を使用でき、さらに、スポットライト照明装置７は、前記リモコン１０等の操作で調光可能に構成されたり変色可能に構成されることが好ましい。
【００１８】
前記コントロールユニット８は、図２に示すように、光センサ１３に接続された直流カット用のコンデンサ１５と、リモコン１０に内蔵された効果調整用の可変抵抗１６と、アンプ１７と、光強度を調整する可変抵抗１８と、リモコン１０に設けられた音量調整用の可変抵抗１９と、一方の入力端子に前記オーディオ機器１２からのオーディオ信号Ｓ１が入力され、他方の入力端子に可変抵抗１９からの制御信号Ｓ２が入力されるアンプ２０等を有している。
【００１９】
このコントロールユニット８によれば、光センサ１３で検知された検知信号がコンデンサ１５に入力され、このコンデンサ１５で検知信号のうち直流分がカットされて交流分のみが可変抵抗１６に供給される。このコンデンサ１５による直流分のカットにより、例えば光センサ１３の受光部の汚れによる可変抵抗１８の抵抗値の変化が防止されることになる。可変抵抗１６に供給される交流信号は、予めリモコン１０内で設定された当該可変抵抗１６の抵抗値に応じて、図３の波形ａ、ｂに示すように所定振幅レベルＡに設定され、その交流信号がアンプ１７で増幅されて可変抵抗１８に供給される。
【００２０】
この可変抵抗１８は、光センサ１３で検知された検知信号である光強度に応じて自動的に設定、すなわち光が強い場合は例えば低抵抗値にまた光が弱い場合は例えば高抵抗値に自動的に設定され、この検知された光強度に応じた交流信号が可変抵抗１９に供給される。可変抵抗１９はリモコン１０に設けられており、入浴者Ｍの手動操作によって所定の抵抗値に設定され、この設定された可変抵抗１９の抵抗値に応じて、図３の波形ｃに示す反射光Ｒ２の揺らぎ波形の中心値と波形ａ、ｂの中心値間のレベルＢが所定に設定され、この信号が制御信号Ｓ２としてアンプ２０に入力される。そして、この制御信号Ｓ２により、アンプ２０の一方の入力端子に入力されるオーディオ信号Ｓ１が制御され、オーディオ信号Ｓ１が制御信号Ｓ２に応じた音量となってスピーカ９から浴室１内に再生される。
【００２１】
つまり、光センサ１３で検知された検知信号のうち、湯水Ｗの揺らぎに対応する交流分のみが可変抵抗１６に供給されて所定の効果レベルに設定されると共に、光センサ１３で検知された光強度に応じて可変抵抗１８の抵抗値が自動的に設定される。そして、この光センサ１３で検知され光強度に応じた交流信号が可変抵抗１９によって手動調整され、この手動調整された音量でオーディオ信号Ｓ１が再生されることになる。なお、図２に示すコントロールユニット８の回路例は一例であって、例えば可変抵抗１６、１８、１９として適宜のゲイン可変手段を採用したり、アンプ１７、２０として適宜の増幅手段を採用したり、あるいはコンデンサ１５の代わりに同じような機能を有する適宜の高周波濾過／低周波カット手段を採用することができる。
【００２２】
前記リモコン１０は、浴室１のバスタブ５側方の側壁３ｂに固定的に設けられて有線によりコントールユニット８に電気的に接続された壁付けリモコンか、あるいはコントロールユニット８に無線により電気的に接続され浴室１内の適宜位置に移動可能に配置されたハンディ型のリモコン等が使用される。そして、このリモコン１０には、音響再生装置６等を作動させる電源スイッチ、低音再生用のアクチュエータを駆動させるアクチュエータスイッチ、前記可変抵抗１９としての音量スイッチ、スポットライト照明装置７を作動（点灯）させるスポットライト照明スイッチ、学習機能用スイッチ、各種表示灯や液晶表示部（いずれも図示せず）が配設されている。
【００２３】
この浴室１によれば、入浴者Ｍがバスタブ５内に入浴した状態で、リモコン１０の電源スイッチをオンさせて音響再生装置６を作動させ、浴室１内に音楽を再生すると共に、例えばリモコン１０のスポットライト照明スイッチをオンさせる。スポットライト照明スイッチがオンすると、スポットライト照明装置７が点灯して、そのスポットライトＲ１がバスタブ５の湯水Ｗに照射され、照射されたスポットライトＲ１が湯水Ｗによって図１の矢印イの如く側壁３ａ〜３ｄ方向や天井壁４方向に反射されて反射光Ｒ２となり、この反射光Ｒ２が側壁３ａ〜３ｄや天井壁４に写し出される。
【００２４】
そして、側壁３ａ〜３ｄや天井壁４に写し出された反射光Ｒ２は、側壁３ｃと天井壁４の反射位置に配置された光センサ１３でそれぞれ検知され、その検知信号がコントロールユニット８に入力されて、該コントロールユニット８内で前述したように信号処理され、音響再生装置６のスピーカ９から再生される音楽の音量が調整（増減）される。
【００２５】
この時、反射光Ｒ１が、湯水Ｗの揺らぎに応じて変化しつつ各壁３ｃ、４に写し出されることから、光センサ１３で検知される検知信号も湯水Ｗの揺らぎに応じて変化することになる。なお、２つの光センサ１３で検知される２つの検知信号は、例えばコントロールユニット８によって加算されて一つの信号として処理されるが、個々の検知信号のうち変化の大きい信号を逐次選択して使用することも勿論可能である。
【００２６】
そして、光センサ１３で検知された検知信号が湯水Ｗの揺らぎに応じて変化すると、前述したようにコントロールユニット８によってスピーカ９で再生される音量が検知信号の変化に連動して変化し、これにより、浴室１内に光による幻想的な雰囲気と、この幻想的な雰囲気に連動した音量の音響効果が得られることになる。この時、これらの効果をより強調したい場合には、入浴中の入浴者Ｍが湯水Ｗを波立たせて湯水Ｗの揺らぎを大きくすることで行うことができる。
【００２７】
なお、この実施形態においては、スポットライト照明装置７を浴室１の天井壁４に取り付けて、湯水Ｗによる反射光Ｒ２を光センサ１３で検知するように構成したが、本発明は、これに限定されず、例えばバスタブ５の底壁５ａや側壁５ｂに図示しない適宜の照明装置を設け、この照明装置の光をバスタブ５内の湯水Ｗを透過させて浴室１内に放射させ、この放射光（透過光という）を前記光センサ１３で検知して音響再生装置６の音量を調整することもできる。
【００２８】
このように、上記実施形態の浴室１にあっては、光センサ１３で反射光Ｒ２や透過光を検知し、その検知信号に応じて音響再生装置６の音量を調整することができるため、浴室１内に光による幻想的な演出効果を得つつ、この演出効果に連動した状態で音楽の音量を調整でき、光センサ１３位置での光の強弱に応じて、例えば音楽の音量をトレモロのように微妙に変化させることができて、浴室１内における音響効果の単調化が防止されると共に、入浴中の入浴者Ｍが深いリラックス感を得ることができる。
【００２９】
また、光センサ１３を反射光Ｒ２等が良好に検知できる対向する側壁３ｃや天井壁４の所定位置に配置しているため、湯水Ｗの僅かな揺らぎによる反射光Ｒ２等の変化を確実に検知できて、例えば入浴中の入浴者Ｍが湯水Ｗを波立たせることで、反射光Ｒ２等に変化を与えて好みの音量を容易に得ることができる。さらに、コントロールユニット８内に検知信号の直流分をカットするコンデンサ１５を設けているため、検知信号のうち湯水Ｗの揺らぎに対応した交流分のみを信号処理できて、例えば光センサ１３の表面の汚れによる音量の増減を防止でき、湯水Ｗの揺らぎに的確に対応した音量の音楽を確実に再生することができる。これらのことから、入浴中の入浴者Ｍが一層深いリラックス感を得ることが可能になる。
【００３０】
また、コントロールユニット８に光センサ１３で検知される光強度が自動的に設定される可変抵抗１８を設けると共に、リモコン１０に予め所定の効果レベルが得られる可変抵抗１６や手動で音量を調整する可変抵抗１９が設けられているため、これらの可変抵抗１６、１８、１９により音響再生装置６で再生される音量を浴室１の形態や入浴者Ｍの好みに応じた所望のレベルに容易に設定することができる。
【００３１】
さらにまた、リモコン１０に音響再生装置６を作動させる電源スイッチ、その音量を設定する音量スイッチ（可変抵抗１９）、スポットライト照明装置７を点灯させるスポットライト照明スイッチ等が設けられているため、バスタブ５内に入浴中にこれらのスイッチを手元で簡単操作できて、音響再生装置６やスポットライト照明装置７の操作性の向上を図ることができると共に、より一層入浴者Ｍの好みに応じた音楽を視聴しつつ入浴できて、快適な入浴が可能になる。
【００３２】
図４は、本発明に係わる浴室の他の実施形態を示す概略構成図である。なお、上記実施形態と同一部位には同一符号を付して説明する。この実施形態の特徴は、バスタブ５内の湯水Ｗの揺らぎを検知手段としての圧力センサ２２で検知するようにした点にある。すなわち、圧電効果、ピエゾン抵抗効果等を利用した圧力センサ２２がバスタブ５の側壁５ｂに埋設状態で取り付けられ、この圧力センサ２２で湯水Ｗの揺らぎによる湯水Ｗの圧力変化が検知される。この時、コントロールユニット８に前記コンデンサ１５が設けられていることから、湯水Ｗの水位の変化による前記可変抵抗１８の変化が防止されることになる。
【００３３】
この実施形態においては、圧力センサ２２の代わりに水位センサ２３を使用することもできる。すなわち、図４の二点鎖線で示すように、バスタブ５内の側壁５ｂに例えばフロート式等の水位センサ２３が取り付けられ、湯水Ｗの揺らぎによる水面の水位の変化がこの水位センサ２３で検知される。この時、水位センサ２３として、入浴時にバスタブ５内に供給される所定量の湯水Ｗの水位を検知して水栓からの給湯を停止させる給湯用のセンサを兼用すれば、一つの水位センサ２３を湯水Ｗの音響制御（揺らぎ検知）と給湯制御（水位検知）の両方に使用することができることになる。
【００３４】
これらの実施形態においても、圧力センサ２２や水位センサ２３で湯水Ｗの揺らぎを検知し、この検知信号に基づいて、音響再生装置６の例えば音量を調整することができて、浴室１内の音響効果を入浴者Ｍの好みに応じた状態に容易に設定できる等、上記実施形態と同様の作用効果を得ることができると共に、バスタブ５へのセンサ２２、２３の設置だけで対応できて、構成簡易にして例えばスポットライト照明装置７を備えない浴室１にも簡単に適用できるという作用効果が得られる。また、この実施形態においては、スポットライト照明装置７を省略した場合について説明したが、上記実施形態と同様にスポットライト照明装置７を配置して、光による演出効果と音響効果を関連付けることも勿論可能である。
【００３５】
なお、上記各実施形態においては、湯水Ｗの揺らぎにより音響再生装置６の音響特性としての音量を制御したが、湯水Ｗの揺らぎにより音響特性としてのトーン（音質）を制御することもできるし、音量と音質の両方を制御することもできる。また、上記各実施形態においては、バスタブ５が半身浴部を有さない一般的なバスタブである場合について説明したが、半身浴部を有する半身浴用のバスタブを使用することもできるし、浴室１自体の形状等も一例であって、本発明に係わる各発明の要旨を逸脱しない範囲において適宜に変更することができる。
【００３６】
【発明の効果】
以上詳述したように、請求項１に記載の発明によれば、バスタブ内の湯水の揺らぎが検知手段で検知され、その検知信号に基づいて制御手段により音響再生手段で再生される音響の特性が制御されるため、音響特性を湯水の揺らぎに自動的に連動させることができて、例えば音響特性の単調化が抑えられ、入浴中の入浴者が深いリラックス感を得ることができる。
【００３７】
また、請求項２に記載の発明によれば、請求項１に記載の発明の効果に加え、検知手段として浴室の側壁や天井壁に設けられた光センサが使用されるため、バスタブ内の湯水の揺らぎによる反射光や透過光を光センサで検知し、光による演出効果を音響特性と連動させることができて、幻想的な光による演出効果を得つつ音響特性を制御できて、入浴中の入浴者がより深いリラックス感を得ることができる。
【００３８】
また、請求項３に記載の発明によれば、請求項１に記載の発明の効果に加え、検知手段としてバスタブの所定位置に設けられた圧力センサや水位センサが使用されるため、バスタブ内の湯水の揺らぎによる圧力変化や水位変化を検知して音響特性を制御できて、構成簡易にして入浴中の入浴者がより深いリラックス感を得ることができる。
【００３９】
また、請求項４に記載の発明によれば、請求項１ないし３に記載の発明の効果に加え、制御手段の直流カット機能により検知信号の直流成分がカットされるため、例えば光センサ使用時の受光部の汚れによる音量変化や、圧力、水位センサ使用時の揺らぎによる水位以外の湯量の変化等による音量の変化が防止され、微妙に揺らぐ湯水の変化のみを確実に検知できて、音響特性を確実かつ安定して制御することができる。
【００４０】
また、請求項５に記載の発明によれば、請求項１ないし４に記載の発明の効果に加え、制御手段が音響特性を調整可能なリモコンを有するため、入浴中の入浴者のリモコン操作で音量等の音響特性が好みの状態に容易に調整できて、音響装置の操作性の向上が図れる等の効果を奏することができる。
【図面の簡単な説明】
【図１】本発明に係わる浴室音響装置の一実施形態を示す概略構成図
【図２】同その制御手段の回路図
【図３】同その動作説明図
【図４】本発明に係わる浴室音響装置の他の実施形態を示す概略構成図
【符号の説明】
１・・・・・・・・・・浴室
３ａ〜３ｄ・・・・・・側壁
４・・・・・・・・・・天井壁
５・・・・・・・・・・バスタブ
５ａ・・・・・・・・・底壁
５ｃ・・・・・・・・・側壁
６・・・・・・・・・・音響再生装置
７・・・・・・・・・・スポットライト照明装置
８・・・・・・・・・・コントロールユニット
９・・・・・・・・・・スピーカ
１０・・・・・・・・・リモコン
１２・・・・・・・・・オーディオ機器
１３・・・・・・・・・光センサ
１５・・・・・・・・・コンデンサ
１６、１８、１９・・・可変抵抗
２０・・・・・・・・・アンプ
２２・・・・・・・・・圧力センサ
２３・・・・・・・・・水位センサ
Ｒ１・・・・・・・・・スポットライト
Ｒ２・・・・・・・・・反射光
Ｗ・・・・・・・・・・湯水
Ｍ・・・・・・・・・・入浴者
【図１】
2004105569.tif 000003
【図２】
2004105569.tif 000004
【図３】
2004105569.tif 000005
【図４】
2004105569.tif 000006